(57)【要約】【課題】  従来のタイマー装置では、タイマー時間を設定後にタイマー時間を確認する手段がなく、設定したタイマー時間通り動作するのか分からないため、使用上不便なところがあった。【解決手段】  タイマー時間を設定するアナログ的な時間設定手段１と、アナログ的時間設定手段１からの出力信号を受け、タイマー時間に対応する発光素子の所定回数の点滅信号を出力する制御装置４と、制御装置４の出力信号を受け、タイマー時間を発光素子の所定回数の点滅で提示する時間提示手段２、３とを備えた。【選択図】図１
2006029905.tif 000002
【特許請求の範囲】
【請求項１】
タイマー時間を設定するアナログ的な時間設定手段と、前記アナログ的時間設定手段からの出力信号を受け、前記タイマー時間に対応する発光素子の所定回数の点滅信号を出力する制御装置と、前記制御装置の前記出力信号を受け、前記タイマー時間を発光素子の所定回数の点滅で提示する時間提示手段とを備えたことを特徴とするタイマー装置。
【請求項２】
タイマー動作時に、前記制御装置がタイマー残時間及び設定タイマー時間に対する前記タイマー残時間の比率を算出し、所定の１周期の時間の前記比率分の発光素子点灯時間及び前記１周期の残りの消灯時間からなる信号を出力し、
また、前記制御装置の出力信号を受け、該出力信号に基き発光素子を周期的に点滅させ、タイマー残時間を提示する時間提示手段を備えたことを特徴とする請求項１に記載のタイマー装置。
【請求項３】
タイマー動作時に、前記制御装置がタイマー残時間及び最大設定タイマー時間に対する前記タイマー残時間の比率を算出し、所定の１周期の時間の前記比率分の発光素子点灯時間及び前記１周期の残りの消灯時間からなる信号を出力し、
また、前記制御装置の出力信号を受け、該出力信号に基き発光素子を周期的に点滅させ、タイマー残時間を提示する時間提示手段を備えたことを特徴とする請求項１に記載のタイマー装置。
【請求項４】
前記タイマー時間及び前記タイマー残時間を、共通の時間提示手段により切替え提示することを特徴とする請求項２又は請求項３に記載のタイマー装置。
【請求項５】
前記時間提示手段の前記発光素子に代えて発音素子を用い、前記タイマー時間又は前記タイマー残時間を前記発音素子の発音及び消音で提示することを特徴とする請求項１〜請求項４のいずれかの請求項に記載のタイマー装置。
【請求項６】
前記時間提示手段が発光素子及び発音素子の両方を有し、前記タイマー時間または前記タイマー残時間を発光素子及び発音素子の両方で提示することを特徴とする請求項１〜請求項５のいずれかの請求項に記載のタイマー装置。
【発明の詳細な説明】
【技術分野】
【０００１】
本発明は、タイマー時間や動作中のタイマー残時間を提示するタイマー装置に関するものである。
【背景技術】
【０００２】
従来のタイマー装置は、タイマー時間セット用スイッチが操作されている間、発光ダイオードを所定回数だけ点滅させ、発光ダイオードがある回数点滅された時点で、タイマー時間セット用スイッチの操作を停止することで、この回数に応じたタイマー時間がセットされるようにしたものがある（例えば、特許文献１参照）。
【０００３】
また、タイマー残時間に応じて光源の点滅間隔を変化させることで、タイマー残時間を表示するようにしたものがある（例えば、特許文献２参照）。
【特許文献１】特開平２−２５９４８８号公報（第３頁〜第４頁、第１図）
【特許文献２】実開昭５７−６８５８６号公報（第２頁〜第７頁、第１図、第２図）
【発明の開示】
【発明が解決しようとする課題】
【０００４】
特許文献１に示すように、従来のタイマー装置では、タイマー時間を設定後にタイマー時間を確認する手段がなく、設定したタイマー時間通り動作するのか分からないため、使用上不便なところがあった。
【０００５】
本発明は、上述のような課題を解決するためになされたもので、タイマー時間の設定後に、設定タイマー時間を確認できるタイマー装置を提供することを目的とする。
また、タイマー時間を設定後、タイマー装置運転によりタイマー残時間を設定タイマー時間又は最大設定タイマー時間に対するタイマー残時間の比率の変化で提示するタイマー装置を提供することを目的とする。
【課題を解決するための手段】
【０００６】
前記目的を達成するため本発明のタイマー装置は、タイマー時間を設定するアナログ的な時間設定手段と、アナログ的時間設定手段からの出力信号を受け、タイマー時間に対応する発光素子の所定回数の点滅信号を出力する制御装置と、制御装置の出力信号を受け、タイマー時間を発光素子の所定回数の点滅で提示する時間提示手段とを備えた。
【発明の効果】
【０００７】
本発明のタイマー装置においては、時間提示手段が、タイマー時間を発光素子の所定回数の点滅で提示するので、タイマー時間の設定後は、使用者が設定タイマー時間を確認することができ、設定したタイマー時間通り動作するのか分からないこと等により、使用上不便をきたすことがない。
また、アナログ的な時間設定手段の目盛り表示だけでは困難だった細かな設定と設定時間の確認が、時間提示手段の発光素子の点滅回数を確認するだけで明確かつ容易に行えるようになる。また、アナログ的な時間設定手段の印刷された目盛りのずれやバラツキによる誤設定を防止することができる。
【発明を実施するための最良の形態】
【０００８】
実施の形態１．
図１は、本発明に係る実施の形態１のタイマー装置を示すブロック構成図であり、図２は、図１のタイマー装置の時間設定ボリュームを示す図であり、図３は、図１のタイマー装置の制御装置の制御フローチャート図であり、図４は、図１のタイマー装置の時間提示部の発光素子であるＬＥＤによる設定タイマー時間の表示を示す図である。
本タイマー装置は、図１に示すように、タイマー時間を設定するためのアナログ的な時間設定手段である時間設定ボリューム１と、設定タイマー時間を表示する時間提示部２及びこれを駆動するドライバ部３（時間提示部２及びドライバ部３とで時間提示手段を形成する）と、タイマー装置本体である制御装置４とから構成されている。
タイマー時間を設定するための時間設定ボリューム１は、図２に示すように、中央の調整部１１を回転させ、外側の所定の設定目盛り１２に合わせることで、タイマー時間を設定するようになっている（図２では、タイマー時間１時間に設定）。図２に示す時間設定ボリューム１は、設定タイマー時間を３０分、１時間、２時間、３時間の４種類とした場合の例であるが、さらに細かなタイマー時間を設定できるようにしてもよい。
【０００９】
時間提示手段の時間提示部２は、発光素子としてＬＥＤを使用し、ＬＥＤの点滅（点滅回数）により設定タイマー時間の表示を行う。また、ドライバ部３（ＬＥＤドライバ３）がＬＥＤを点滅する。
ＬＥＤの点滅回数は、設定タイマー時間に対応させてＬＥＤの点滅回数を定める。例えば、図２のタイマー設定時間が３０分、１時間、２時間、３時間の４種類の場合は、タイマー設定時間が３０分の時はＬＥＤを１回点滅、タイマー設定時間が１時間の時はＬＥＤを２回点滅、タイマー設定時間が２時間の時はＬＥＤを３回点滅、タイマー設定時間が３時間の時はＬＥＤを４回点滅させるようにする。
【００１０】
制御装置４は、バスラインにより互いに接続されたインターフェイス（Ｉ／Ｆ）５と、中央処理装置（ＣＰＵ）６と、タイマー設定時間及びＬＥＤ点滅回数を記憶させておくメモリ７から構成されており、Ｉ／Ｆ５には時間設定ボリューム１を、またＣＰＵ６にはＬＥＤドライバ３を接続している。
また、制御装置４には、タイマー動作させるための機器８が接続可能であり、接続させることにより、ＣＰＵ６でタイマー残時間を算出し、タイマー残時間が０以下になったら、ＣＰＵ６から機器８へ「入」あるいは「切」の信号が出力される。あるいは、ＣＰＵ６から機器８へタイマー設定時間を出力し、機器８でタイマー残時間の算出を行うようにしてもよい。さらに、タイマー装置が専用の機器８をタイマー動作させる場合は、機器８をタイマー装置に接続しておいてもよい。また、制御装置４を機器８へ取り込み、機器８でタイマー装置の制御を行うようにしてもよい。
【００１１】
次に、図１〜図３により本タイマー装置の動作を説明する。
まず、最初に時間設定ボリューム１の設定値（例えば、タイマー時間を２時間に設定）をＩ／Ｆ５を介してＣＰＵ６の設定値読み込み部に読み込む（図３のフローチャートのステップＳ１）。
次いで、読み込んだ時間設定ボリューム１の設定値からＣＰＵ６のタイマー設定時間算出部でタイマー時間を算出する。即ち、２時間に設定されていることを算出する（ステップＳ２）。
次に、ＣＰＵ６のＬＥＤ点滅回数設定部によって、タイマー時間に対応するＬＥＤ点滅回数が設定される。即ち、メモリ７よりタイマー時間の２時間に対応してＬＥＤ点滅回数３回が設定される（ステップＳ３）。
最後に、ＣＰＵ６のＬＥＤドライバ出力部によってＬＥＤを設定点滅回数、即ち、３回点滅させるための信号がＬＥＤドライバ３へ出力され、時間提示部２の発光素子であるＬＥＤにより設定点滅回数、即ち、３回点滅が実施される（ステップＳ４）。
この時のＬＥＤの様子を図４に示す。図４に示すように、所定の１周期ＴにＬＥＤを設定点滅回数、即ち、３回点滅する。タイマー時間の設定後は、タイマー残時間が零になるまで、このＬＥＤの点滅を周期毎に繰返し表示する。
その後、タイマー時間が変更された場合、再び設定値読み込み部によって、時間設定ボリューム１の設定値が読み込まれる。このように変更されたタイマー時間が読み込まれ、前述した処理によって、変更されたタイマー時間に応じた点滅回数でＬＥＤが点滅動作する。
【００１２】
以上のように、本実施の形態のタイマー装置は、タイマー時間の設定後は、時間提示部２で設定タイマー時間を表示するので、使用者がタイマー時間を確認することができ、設定したタイマー時間通り動作するのか分からないこと等により、使用上不便をきたすことがない。
また、設定されたタイマー時間に応じて時間提示部２のＬＥＤが点滅動作することで、時間設定ボリューム１などのアナログ的な調整装置の目盛り表示だけでは困難だった細かな設定と設定タイマー時間の確認が、ＬＥＤの点滅回数を確認するだけで明確かつ容易に行えるようになる。また、印刷された目盛りのずれや時間設定ボリューム１のバラツキによる誤設定を防止することができる。
【００１３】
実施の形態２．
実施の形態２のタイマー装置は、タイマー装置の運転中に時間提示手段を形成する時間提示部２の発光素子であるＬＥＤによりタイマー残時間を表示するものである。本タイマー装置の構成は、実施の形態１の図１及び図２に示すタイマー装置と同様であり、制御装置４が、時間提示部２のＬＥＤでタイマー残時間が表示されるよう時間提示部２ａとドライバー部３ａの制御を行う。
以下、主として実施の形態１との相違点を説明する。
【００１４】
図５は、実施の形態２のタイマー装置の制御装置４の制御を示すフローチャート図である。本フローチャート図により、制御装置４の制御動作を説明する。
まず、最初にタイマー装置が運転中か否かを判定する（ステップＳ１１）。
タイマー運転中でなければ、タイマー残時間表示が不要なため、処理を終了する。タイマー装置が運転中であれば、タイマー残時間の更新を所定の間隔、例えば、１分間隔で行う。即ち、１分経過したか否かを判定する（ステップＳ１２）。
そして、１分経過したのであれば、タイマー残時間を１分減算し（ステップＳ１３）、
タイマー残時間が０以下になったか否かを判定する（ステップＳ１４）。
タイマー残時間が０以下になった場合は、タイマー運転を終了設定（ステップＳ１５）し、タイマー運転判定（ステップＳ１１）によって処理を終了する。
タイマー残時間が０より大きければ、設定タイマー時間とタイマー残時間の比率からＬＥＤ２の点灯時間ＴON及び消灯時間ＴOFFを算出する（ステップＳ１６）。
そして、点灯、消灯の周期時間を所定時間Ｔとし、ＴON、ＴOFFに基づいて、ＬＥＤ２を点滅させるようＬＥＤドライバ３へ信号を出力し、ＬＥＤが周期毎に点滅を繰返す（ステップＳ１７）。
【００１５】
ここで、ステップＳ１６におけるＬＥＤの点灯時間ＴON及び消灯時間ＴOFFの例を示す。例えば、タイマー時間を２時間に設定し、タイマー残時間が３０分になったとし、また、点灯、消灯の周期Ｔを３秒とする。
この時タイマー運転中であることから、ステップＳ１６によって、ＬＥＤの点灯時間及び消灯時間は、次と算出される。
ＬＥＤの点灯時間ＴON＝３秒×３０分／２時間＝０．７５秒
ＬＥＤの消灯時間ＴOFF＝３秒−０．７５秒＝２．２５秒
これより、ステップＳ１７によってＬＥＤが点灯０．７５秒、消灯２．２５秒の点滅動作するようにＬＥＤドライバ３へ信号を出力する。この時のＬＥＤ２の様子を図６に示す。
以上のように、設定されたタイマー時間とタイマー残時間の比率によってＬＥＤ２の点灯時間及び消灯時間が設定され、このタイマー時間とタイマー残時間の比率によって決められるＬＥＤ２の点灯時間が、周期的に減少することで、タイマー残時間の確認が、明確かつ容易に行なえるようになる。
【００１６】
実施の形態３．
本実施の形態のタイマー装置は、実施の形態２のタイマー装置のタイマー残時間の算出処理を変更したものである。
実施の形態２で説明したタイマー残時間の算出処理において、ＴONの算出式を、
ＴON＝Ｔ×タイマー残時間／最大設定できるタイマー時間
とすることで、タイマー設定時間に依らずに点滅間隔を設定することができる。
例えば、タイマー時間を３０分、１時間、２時間、３時間の４種類とし、タイマー残時間が３０分になったとする。また前記同様に点灯、消灯の周期Ｔを３秒とする。この時、最大設定できるタイマー時間は３時間となるので、ステップＳ１６によってＬＥＤの点灯時間及び消灯時間が
ＬＥＤの点灯時間ＴON＝３秒×３０分／３時間＝０．５秒
ＬＥＤの消灯時間ＴOFF＝３秒−０．５秒＝２．５秒
と算出される。これよりステップＳ１７によってＬＥＤが点灯０．５秒、消灯２．５秒の点滅動作するようにＬＥＤドライバ３へ信号を出力する。
【００１７】
以上のように、最大設定できるタイマー時間とタイマー残時間の比率によって時間提示部２のＬＥＤの点灯時間及び消灯時間が設定されることで、設定タイマー時間に依らずにＬＥＤの点滅間隔を設定し、タイマー残時間をイメージ化することで、より明確かつ容易に確認できるようになる。
【００１８】
実施の形態４．
本実施の形態のタイマー装置は、実施の形態１のタイマー装置のタイマー時間の表示、及び実施の形態２あるいは実施の形態３のタイマー残時間の表示の両表示を行うことのできるものである。
本実施の形態のタイマー装置の構成は、実施の形態１及び実施の形態２と同様である。即ち、制御装置４の制御により、ドライバー部３（ＬＥＤドライバー３）が時間提示部２の発光素子であるＬＥＤを点滅させ、タイマー時間及びタイマー残時間の表示を行う。
例えば、タイマー運転以外のときはタイマー設定時間を表示し、タイマー運転中はタイマー残時間を表示するようにする。または、表示切替用のスイッチなどの表示切替手段を設けることで、共通の時間提示部２の発光素子でタイマー時間及びタイマー残時間の表示を切り替え表示するようにする。
これによって、タイマー時間及びタイマー残時間の両表示を容易かつ安価に行うことができるとともに、使用者には一層便利である。
【００１９】
実施の形態５．
実施の形態１〜実施の形態４のタイマー装置は、時間提示部２の発光素子であるＬＥＤの点滅によって、タイマー時間、タイマー残時間を表示する方法であるが、本実施の形態のタイマー装置は、ＬＥＤをブザーなどの発音素子に置換えることで、ＬＥＤの点滅の替わりに発音素子の発音、消音で行い、視覚障害のある人にも容易にタイマー設定時間、タイマー残時間の確認が行えるようにしたものである。その他の構成等は、実施の形態１〜実施の形態４のタイマー装置と同様である。
【００２０】
また、発光素子あるいは発音素子によって、タイマー時間、タイマー残時間を提示する方法について述べたが、時間提示部２が発光素子と発音素子を組み合わせ有するようにして、視覚障害あるいは聴覚障害のある人にも容易にタイマー時間、タイマー残時間の確認が行えるようにしてもよい。
【図面の簡単な説明】
【００２１】
【図１】本発明に係わる実施の形態１のタイマー装置を示すブロック構成図である。
【図２】図１のタイマー装置の時間設定ボリュームを示す図である。
【図３】図１のタイマー装置の制御装置の制御フローチャート図である。
【図４】図１のタイマー装置の発光素子であるＬＥＤによるタイマー設定時間の表示を示す図である。
【図５】本発明に係る実施の形態２のタイマー装置の制御装置の制御フローチャート図である。
【図６】本発明に係る実施の形態２のタイマー装置の発光素子であるＬＥＤによるタイマー残時間の表示を示す図である。
【符号の説明】
【００２２】
１  時間設定手段、２、３  時間提示手段、４  制御装置。
【図１】
2006029905.tif 000003
【図２】
2006029905.tif 000004
【図３】
2006029905.tif 000005
【図４】
2006029905.tif 000006
【図５】
2006029905.tif 000007
【図６】
2006029905.tif 000008